(57)【特許請求の範囲】
【請求項１】
作業機の上部旋回体の下面にメンテナンス用に設けられるアンダーカバー装置において、
前記上部旋回体の下面に固定される底面板と、
前記底面板に設けた略半円形をなす開口部と、
前記開口部よりやや広い面積を有する略半円形をなすカバー材と、
前記カバー材の弧状縁で形成される円弧の中心に設けた枢着部を、前記底面板における前記開口部の弧状開口縁で形成される円弧の中心に設けたカバー材枢支部に合わせて前記カバー材を前記底面板の下面に回動可能に取付ける取付け具と、
前記底面板の下面における前記開口部の前記弧状開口縁の近傍に設けられ、前記カバー材の前記弧状縁を摺動可能に遊嵌し支持する周辺支持材と、
前記カバー材の下面に取付けられた回動操作用のハンドルとを備え、
前記ハンドルを用いて前記カバー材を前記取付け具を中心として回動させることにより、前記カバー材によって前記開口部を閉塞、開放する構成としたことを特徴とするアンダーカバー装置。
【請求項２】
作業機の上部旋回体の下面にメンテナンス用に設けられるアンダーカバー装置において、
前記上部旋回体の下面に固定される底面板と、
前記底面板に設けられ、略半円形の弧状開口縁、前記弧状開口縁で形成される円弧の中心に設けたカバー材枢支部、および前記カバー材枢支部の両側からそれぞれ前記弧状開口縁の端部にわたって設けた直線状開口縁を有する開口部と、
略半円形の弧状縁、前記弧状縁で形成される円弧の中心に設けた枢着部、および前記枢着部の両側からそれぞれ前記弧状縁の端部にわたって設けた直線状縁を有すると共に、前記開口部よりやや広い面積を有するカバー材と、
前記カバー材に設けた枢着部を、前記底面板に設けたカバー材枢支部に合わせて前記カバー材を前記底面板の下面に回動可能に取付ける取付け具と、
前記底面板の下面における前記開口部の前記弧状開口縁の近傍に設けられ、前記カバー材の前記弧状縁を摺動可能に遊嵌し支持する周辺支持材と、
前記底面板の下面における前記開口部の一方の直線状開口縁の近傍に設けられ、前記カバー材により前記開口部を閉塞した際に前記カバー材の一方の直線状縁を当接させると共に、前記カバー材の回動により前記開口部を全開させた際に前記カバー材の他方の直線状縁を当接させて位置決めする固定ストッパと、
前記底面板における前記開口部の前記他方の直線状開口縁の近傍に、前記底面板の下面より下方に突没可能に、かつ付勢手段により下方に付勢して設けられ、前記カバー材により前記開口部を閉塞した際に前記カバー材の前記他方の直線状縁を当接させて回り止めする可動ストッパと、
前記カバー材に取付けた回動操作用のハンドルとを備えたことを特徴とするアンダーカバー装置。
【請求項３】
請求項２に記載のアンダーカバー装置において、
前記周辺支持材を、前記底面板に設けた前記枢支部を中心とする円弧上に、互いに９０度の角度間隔を持って４個配設したことを特徴とするアンダーカバー装置。
【請求項４】
請求項２または３に記載のアンダーカバー装置において、
前記カバー材における前記枢着部の両側の前記直線状縁の近傍に、前記ハンドルを設けたことを特徴とするアンダーカバー装置。
【請求項５】
請求項１から４までのいずれか１項に記載のアンダーカバー装置において、
前記底面板および前記カバー材に通気用の孔を設けたことを特徴とするアンダーカバー装置。
【発明の詳細な説明】
【技術分野】
【０００１】
本発明は、油圧ショベル等の作業機における上部旋回体の下面に設けるメンテナンス用のアンダーカバー装置に関する。
【背景技術】
【０００２】
油圧ショベルにおいては、上部旋回体を構成する旋回フレーム上にエンジンやラジエータ等を含むパワーユニットが搭載される。そして旋回フレームの下面は底面板で覆われると共に、底面板の一部にメンテナンス用の開口部を設け、この開口部に着脱可能なアンダーカバーを取付ける。従来のアンダーカバーは、多くの場合、例えば特許文献１，２に示すように、ボルトによって旋回フレームの下面に着脱可能に取付けられている。
【０００３】
また、従来のアンダーカバー装置として、図１０（Ａ）の側面図および図１０（Ｂ）の底面図に示すものがある。このアンダーカバー装置は、底面板７０に設けたメンテナンス用開口部７０ａをカバー材７１により覆う構造を有する。このカバー材７１の底面板７０に対する固定は、カバー材７１に設けた２条のガイド溝７１ａに蝶ボルト７２を挿通して底面板７０に設けたナット７３に螺合し締結すると共に、カバー材７１の先端を底面板７０に設けたＬ字形の係止板７４に係止させて行なう。開口部７０ａの開放は、蝶ボルト７２を緩め、カバー材７１に設けたハンドル７１ｂに両手の指７５を掛けてカバー材７１を引き出すことにより行なう。
【先行技術文献】
【特許文献】
【０００４】
【特許文献１】特開２００２−３０２０６５号公報
【特許文献２】特開２０１０−２１６１９０号公報
【発明の概要】
【発明が解決しようとする課題】
【０００５】
しかしながら、特許文献１，２に記載のように、カバー材をボルトにより底面板の下面に着脱可能に取付ける構造においては、カバー材の着脱の度にボルトの着脱も行なう必要があり、上部旋回体の下部の狭い作業空間において、作業が容易ではなく、カバー材の着脱に手間がかかるという問題点がある。
【０００６】
一方、図１０に示すように、カバー材７１をスライドさせて開口部７０ａを開閉する従来構造においては、カバー材７１にガイド溝７１ａを設ける必要があるため、底面板７０の開口部７０ａの面積を広くとることができない。また、カバー材７１を片手で引くとカバー材７１が偏り、スライドできなくなるので、カバー材７１の開閉に両手を使用する必要があり、上部旋回体の下部の狭い作業空間において、開閉作業時における作業者の姿勢が安定せず、開閉作業が容易ではないという問題点もある。
【０００７】
本発明は、上記問題点に鑑み、カバー材の開閉操作が容易になると共に、底面板に設ける開口部をスライド式よりも広くとれるアンダーカバー装置を提供することを目的とする。
【課題を解決するための手段】
【０００８】
請求項１のアンダーカバー装置は、作業機の上部旋回体の下面にメンテナンス用に設けられるアンダーカバー装置において、
前記上部旋回体の下面に固定される底面板と、
前記底面板に設けた略半円形をなす開口部と、
前記開口部よりやや広い面積を有する略半円形をなすカバー材と、
前記カバー材の弧状縁で形成される円弧の中心に設けた枢着部を、前記底面板における前記開口部の弧状開口縁で形成される円弧の中心に設けたカバー材枢支部に合わせて前記カバー材を前記底面板の下面に回動可能に取付ける取付け具と、
前記底面板の下面における前記開口部の前記弧状開口縁の近傍に設けられ、前記カバー材の前記弧状縁を摺動可能に遊嵌し支持する周辺支持材と、
前記カバー材の下面に取付けられた回動操作用のハンドルとを備え、
前記ハンドルを用いて前記カバー材を前記取付け具を中心として回動させることにより、前記カバー材によって前記開口部を閉塞、開放する構成としたことを特徴とする。
【０００９】
請求項２のアンダーカバー装置は、作業機の上部旋回体の下面にメンテナンス用に設けられるアンダーカバー装置において、
前記上部旋回体の下面に固定される底面板と、
前記底面板に設けられ、略半円形の弧状開口縁、前記弧状開口縁で形成される円弧の中心に設けたカバー材枢支部、および前記カバー材枢支部の両側からそれぞれ前記弧状開口縁の端部にわたって設けた直線状開口縁を有する開口部と、
略半円形の弧状縁、前記弧状縁で形成される円弧の中心に設けた枢着部、および前記枢着部の両側からそれぞれ前記弧状縁の端部にわたって設けた直線状縁を有すると共に、前記開口部よりやや広い面積を有するカバー材と、
前記カバー材に設けた枢着部を、前記底面板に設けたカバー材枢支部に合わせて前記カバー材を前記底面板の下面に回動可能に取付ける取付け具と、
前記底面板の下面における前記開口部の前記弧状開口縁の近傍に設けられ、前記カバー材の前記弧状縁を摺動可能に遊嵌し支持する周辺支持材と、
前記底面板の下面における前記開口部の一方の直線状開口縁の近傍に設けられ、前記カバー材により前記開口部を閉塞した際に前記カバー材の一方の直線状縁を当接させると共に、前記カバー材の回動により前記開口部を全開させた際に前記カバー材の他方の直線状縁を当接させて位置決めする固定ストッパと、
前記底面板における前記開口部の前記他方の直線状開口縁の近傍に、前記底面板の下面より下方に突没可能に、かつ付勢手段により下方に付勢して設けられ、前記カバー材により前記開口部を閉塞した際に前記カバー材の前記他方の直線状縁を当接させて回り止めする可動ストッパと、
前記カバー材に取付けた回動操作用のハンドルとを備えた
ことを特徴とする。
【００１０】
請求項３のアンダーカバー装置は、請求項２に記載のアンダーカバー装置において、
前記周辺支持材を、前記底面板に設けた枢支部を中心とする円弧上に、互いに９０度の角度間隔を持って４個配設したことを特徴とする。
【００１１】
請求項４のアンダーカバー装置は、請求項２または３に記載のアンダーカバー装置において、
前記カバー材における前記枢着部の両側の前記直線状縁の近傍に、前記ハンドルを設けたことを特徴とする。
【００１２】
請求項５のアンダーカバー装置は、請求項１から４までのいずれか１項に記載のアンダーカバー装置において、
前記底面板および前記カバー材に通気用の孔を設けたことを特徴とする。
【発明の効果】
【００１３】
請求項１の発明によれば、ハンドルに片手を掛けてカバー材を回動させることによって開口部を開閉できるため、従来のように複数本のボルトによりカバー材を取付けたものや、両手をハンドルに掛けて直線移動させることにより開閉するものに比較して開口部の開閉操作が容易となる。また、カバー材は、底面板に設ける開口部よりやや広い程度の面積ですむため、カバー材を直線移動させて開閉するものに比較して広い開口部を確保することができる。
【００１４】
また、カバー材の弧状縁を摺動可能に遊嵌し支持する周辺支持材を設けたので、カバー材の振動が防止されると共に、カバー材の周辺部が支持されるため、カバー材や取付け具に振動による過大が力が作用してカバー材や取付け具が損傷することを防止することができる。
【００１５】
請求項２の発明によれば、カバー材の枢着部の両側の２つの直線状縁が、開口部閉塞時と開放時で固定ストッパ、可動ストッパに当接して回り止めされるので、振動によるカバー材の回動が防止され、開口部の閉塞状態において、カバー材が回動して開口部が開くおそれがない。また、可動ストッパは、下方から押し上げることで簡単にワンタッチで回動防止状態を解除することができる。
【００１６】
請求項３の発明によれば、４個の周辺支持材を円上に均等な間隔で分散配置したので、カバー材による開口部の閉塞時のみならず、開閉途中の状態においてもカバー材が常時周辺支持材により支持され、周辺支持材をスムーズに回動させることができる。
【００１７】
請求項４の発明によれば、カバー材の直線状縁の近傍にハンドルを設けたので、片手でカバー材を容易に回動させることができる。
【００１８】
請求項５の発明によれば、カバー材の周辺部が、底面板の底面に設けたガイド材により支持されてガイドされる構造であり、従来のようにカバー材にガイド溝を有してガイド部材の直線的移動により開口部を開閉する構造に比較し、カバー材が開口部の周辺に対して重なる部分が狭くてすむため、カバー材で開口部を閉塞した状態において、底面板に設ける通気孔がカバー材により覆われて機能しないか、あるいはカバー材に覆われるために元々通気孔を設けない部分の広さが従来より狭くなり、良好な通気性が確保される。
【図面の簡単な説明】
【００１９】
【図１】本発明のアンダーカバー装置を適用する作業機の底面部を示す斜視図である。
【図２】本発明によるアンダーカバー装置の一実施の形態を開口部閉塞状態で示す底面図である。
【図３】本発明によるアンダーカバー装置の一実施の形態を開口部全開状態で示す底面図である。
【図４】この実施の形態の底面板を示す底面図である。
【図５】この実施の形態の周辺支持材を示す縦断面図である。
【図６】この実施の形態のカバー材を示す底面図である。
【図７】この実施の形態のカバー材の枢着部を示す縦断面図である。
【図８】この実施の形態のストッパの取付け構造を示す縦断面図である。
【図９】この実施の形態の可動ストッパの退避状態を示す縦断面図である。
【図１０】（Ａ）は従来のアンダーカバー装置を示す側面図、（Ｂ）はその底面図である。
【発明を実施するための形態】
【００２０】
図１は本発明のアンダーカバー装置を適用する作業機の上部旋回体の底面部の一例を示す斜視図である。この上部旋回体１は、油圧ショベルの上部旋回体である。２は上部旋回体１を構成する旋回フレームであり、この旋回フレーム２にはエンジン、油圧ポンプ、ラジエータ、タンク類を含む油圧パワーユニット３と、運転室４と、カウンタウエイト５等が搭載される。６はフロント取付け部であり、このフロント取付け部６は、作業用多関節フロントの根本部を構成するブームやブームシリンダを取付けるものである。７は下部走行体（図示せず）に取付けられる旋回装置（図示せず）に設置する旋回装置取付け部である。
【００２１】
１０，１１は本発明のアンダーカバー装置であり、それぞれ、比較的頻繁に掃除等のメンテナンスを行なうエンジンのオイルパンの下と、エンジンのラジエータの前後に相当する部位に取付けられたものである。
【００２２】
図２、図３は図１に示したアンダーカバー装置１０を、カバーによる開口部の閉塞状態と全開状態とでそれぞれ示す底面図である。図２、図３において、１３は上部旋回体１を構成する旋回フレーム２の底面に取付けられた底面板、１４はこの底面板１３に設けた略半円形をなすメンテナンス用開口部、１５は開口部１４を開閉するカバー材，１３ａは底面板１３に設けた通気用の孔である。
【００２３】
図４に示すように、底面板１３に設ける開口部１４は、略半円形の弧状開口縁１４ａと、弧状開口縁１４ａで形成される円弧の中心に設けたカバー材枢支部１４ｂと、カバー材枢支部１４ｂの両側からそれぞれ弧状開口縁１４ａの端部にわたって設けられた直線状開口縁１４ｃ，１４ｄとを有する。１４ｅは通気用の孔である。この底面板１４は、周囲部分をボルト１６によって旋回フレーム２の底面に固定して取付ける。
【００２４】
１７はカバー材１５の周辺支持材である。この周辺支持材１７は、底面板１３の下面における開口部１４の弧状開口縁１４ａの近傍に、溶接またはねじやリベット等の固定具により取付けられる。この実施の形態においては、周辺支持材１７は、弧状開口縁１４ａの近傍のみならず、カバー材枢支部１４ｂを中心として開口部１４の反対側にも２個の周辺支持材１７を設け、合計４個の周辺支持材１７を設けている。これら４個の周辺支持材１７は、枢支部１４ｂを中心とする円弧上に、互いに９０度の角度間隔を持って配設している。この周辺支持材１７は、図５に示すように、カバー材１５の弧状縁１５ａが摺動可能に嵌まるようなコ字形をなす。
【００２５】
図６に示すように、開口部１４を開閉するカバー材１５は、略半円形の弧状縁１５ａと、この弧状縁１５ａで形成される円弧の中心に設けた枢着部１５ｂと、この枢着部１５ｂの両側からそれぞれ弧状縁１５ａの端部にわたって設けられた直線状縁１５ｃ，１５ｄとを有する。このカバー材１５は、開口部１４よりやや広い面積を有する。１５ｅは通気用の孔である。１５ｆ，１５ｇはカバー材１５における直線状縁１５ｃ、１５ｄの近傍に下方に突出させて取付けたカバー材回動操作用のハンドルである。１５ｉ，１５ｊはカバー材１５を回動させる際に、直線縁１５ｃ，１５ｄの外端部が周辺支持材１７内に円滑に挿入されるようにするためのテーパー部である。これらのテーパー部１５ｉ，１５ｊは、直線縁１５ｃ，１５ｄ側の肉厚が狭くなるように、カバー材１５の下面を傾斜面に形成したものである。
【００２６】
図７はカバー材枢支部１４ｂに対するカバー材１５の枢着部１５ｂを取付ける構造を示す断面図である。２０はカバー材１５を底面板１３に取付けるための取付け具として設けたボルトである。１３ｂ、１５ｈはそれぞれ図４、図６にも示したように、それぞれ枢支部１４ｂ、枢着部１５ｂに設けたボルト挿通孔、２１，２２はボルト２０を挿通するワッシャ、２３はボルト２０に螺合するダブルナット、２４はボルト２０を挿通すると共に、ワッシャ２２とダブルナット２３との間に介在させたばねワッシャである。このばねワッシャ２４の弾力により、カバー材１５の枢着部１５ｂは底面板１３にがたつきなく圧接された状態で取付けられる。
【００２７】
図２〜図４において、２５は底面板１３の下面における一方の直線状開口縁１４ｃの近傍に設けられた固定ストッパである。この固定ストッパ２５は、カバー材１５により開口部１４が閉塞された状態において、直線状縁１５ｃを当接させるものである。図８に示すように、この固定ストッパ２５は底面板１３に図示のような嵌着や溶接等により固定して取付けられる。
【００２８】
図２〜図４において、２６は底面板１３における他方の直線状開口縁１４ｄの近傍に設けられた可動ストッパである。この可動ストッパ２６は、開口部１４をカバー材１５により閉塞した状態において、カバー材１５の直線状縁１５ｄを当接させて回り止めするものである。図８に示すように、この可動ストッパ２６は、底面板１３の上面に溶接した取付け金具２７により取付けられる。すなわちこの可動ストッパ２６はボルトにより構成され、底面板１３に設けた孔１３ｃおよび取付け金具２７に設けた頭部収容部２７ａに対し、ボルト頭部２６ａを上下動可能に嵌合すると共に、ボルト２６のねじ部２６ｂを、取付け金具２７に設けたボルト挿通孔２７ｂに上下動可能に挿通する。このねじ部２６ｂにはダブルナット２８を螺合し、抜け止めする。
【００２９】
図９に示すように、この可動ストッパ２６は、下方から指等で押し上げることにより、底面板１３の下面より上部に引っ込み、カバー材１５の回動を妨げないように退避させることができる。また、このボルト２６はダブルナット２８と共に自重を下方への付勢手段として利用するもので、手やカバー材１５による支えが無くなると、図８に示すように、自重によって底面板１３の下面よりも下方に突出した位置に下降する。なお、ボルト２６の下方への付勢手段としてばねを用いることもできる。
【００３０】
この構成において、通常時には、図２に示すように、カバー材１５により開口部１４を閉塞した状態とする。この状態では、カバー材１５の枢着部１５ｂはボルト２０とダブルナット２３により底面板１３の枢支部１４ｂに固定される。また、カバー１５の直線状縁１５ｃ，１５ｄはそれぞれ固定ストッパ２５、可動ストッパ２６に当接してカバー材１５の回動が防止される。また、このカバー材１５による開口部１４の閉塞状態において、カバー材１５の弧状縁１５ａは弧状開口縁１４ａの近傍に設けた２個の周辺支持材１７，１７により支持される。
【００３１】
カバー材１５を回動させて開口部１４を開く際には、可動ストッパ（ボルト）２６によるカバー材１５の止め状態を解除するため、図９に示すように可動ストッパ２６を指で底面板１３の下面より上方に押し上げる。この状態で片手をハンドル１５ｇに掛けてカバー材１５を回動させると、カバー材１５の上面に可動ストッパ２６が載り、可動ストッパ２６がカバー材１５の上面に摺動しながらカバー材１５を回動させることができる。
【００３２】
そして、図３に示すように、カバー材１５の直線状縁１５ｄが固定ストッパ２５に当接することにより、それ以上の回動が阻まれ、開口部１４が全開状態となる。この全開放態では、カバー材１５の弧状縁１５ａは、弧状開口縁１４ａの近傍に設けた２個の周辺支持材１７，１７の反対側に設けられている２個の周辺支持材１７，１７に支持される。この開放状態において、可動ストッパ２６はカバー材１５の上面に載ったままである。この開口部１４の全開状態において、作業者はこの開口部１４から手を入れて部品の取り出し、取付けや掃除を行なうことができる。
【００３３】
このカバー材１５の全開状態からカバー材１５を回動させて開口部１４を閉じる際には、ハンドル１５ｆに片手を掛けて前記と反対方向に回し、図２の閉塞状態とする。この閉塞状態となると、可動ストッパ２６は自重により図８に示すようにカバー材１５を回り止めする位置に降下する。
【００３４】
このように、この実施の形態においては、ハンドル１５ｆ，１５ｇに片手を掛けてカバー材１５を回すことによって開口部１４を開閉できるため、従来のように複数本のボルトによりカバー材を取付けたものや、両手をハンドルに掛けて開閉する直線移動させるものに比較して開口部の開閉操作が容易となる。また、カバー材１５は、底面板１３に設ける開口部１４よりやや広い程度の面積ですむため、カバー材を直線移動させるものに比較して広い開口部を確保することができる。
【００３５】
また、カバー材１５の弧状縁１５ａを摺動可能に遊嵌し支持する周辺支持材１７を設けたので、カバー材１５の振動が防止されると共に、カバー材１５の周辺部が支持されるため、カバー材１５や取付け具２０に振動による過大が力が作用してカバー材１５や取付け具２０が損傷することを防止することができる。
【００３６】
また、カバー材１５の枢着部１５ｂの両側の２つの直線状縁１５ｃ，１５ｄが、開口部１４の閉塞時に固定ストッパ２５と可動ストッパ２６に当接して回り止めされるので、カバー材１５が回動して開口部１４が開放されるおそれがない。また、可動ストッパ２６は、下方から押し上げることで簡単に回動防止状態を解除することができ、回動防止解除操作がワンタッチで簡単に行なえる。
【００３７】
また、この実施の形態においては、４個の周辺支持材１７を均等な間隔で円弧上に分散配置したので、カバー材１５による開口部１４の閉塞時、開放時のみならず、開閉途中の状態においてもカバー材１５が常時周辺支持材１７により支持されるので、カバー材１５をスムーズに回動させることができる。
【００３８】
また、カバー材１５の直線状縁１５ｃ，１５ｄの近傍にそれぞれハンドル１５ｆ，１５ｇを設けたので、カバー材１５の開放作業時、閉塞作業時にそれぞれハンドル１５ｆ，１５ｇを引くことにより、カバー材１５を容易に回動させることができる。
【００３９】
また、この実施の形態においては、カバー材１５の周辺部が、底面板１３に設けたガイド材１７により支持されてガイドされる構造であり、従来のようにカバー材にガイド溝を有してガイド部材の直線的移動により開口部を開閉する構造に比較し、カバー材１５が開口部１４の周辺に対して重なる部分が狭くてすむため、カバー材１５で開口部１４を閉塞した状態において、底面板１３に設ける通気孔１３ａがカバー材１５により覆われて機能しないか、あるいはカバー材１５に覆われるために元々通気孔１３ａを設けない部分の広さが従来より狭くなり、良好な通気性が確保される。
【００４０】
さらにこの実施の形態においては、可動ストッパ２６を直線状開口縁１４ｄの近傍に設けるとともに、開口部１４を閉塞している時にこの直線状開口縁１４ｄに並ぶカバー材の直線状縁１５ｄの近傍にハンドル１５ｇを設けたので、可動ストッパ２６の押し上げによる回り止め状態解除と、ハンドル１５ｇの操作によるカバー材１５の回動を、片手で同時に容易に行なうことができる。
【００４１】
本発明は、油圧ショベル以外の各種作業機の上部旋回体の下面のアンダーカバー装置に適用できる。また、本発明を実施する場合、上記実施の形態に限らず、本発明の要旨を逸脱しない範囲において、種々の変更、付加が可能である。
【符号の説明】
【００４２】
１：上部旋回体、２：旋回フレーム、３：油圧パワーユニット、４：運転室、５：カウンタウエイト、６：フロント取付け部、７：旋回装置取付け部、１０，１１：アンダーカバー装置、１３：底面板、１４：開口部、１４ａ：弧状開口縁、１４ｂ：カバー材枢支部、１４ｃ，１４ｄ：直線状開口縁、１５：カバー材、１５ａ：弧状縁、１５ｂ：枢着部、１５ｃ，１５ｄ：直線状縁、１５ｆ，１５ｇ：ハンドル、１７：周辺支持材、２０：取付け具（ボルト）、２１，２２：ワッシャ、２３：ダブルナット、２４：ばねワッシャ、２５：固定ストッパ、２６：可動ストッパ、２７：取付け金具、２７ａ：頭部収容部、２７ｂ：ボルト挿通孔、２８：ダブルナット
【図１】
0005401484.tif 000002
【図２】
0005401484.tif 000003
【図３】
0005401484.tif 000004
【図４】
0005401484.tif 000005
【図５】
0005401484.tif 000006
【図６】
0005401484.tif 000007
【図７】
0005401484.tif 000008
【図８】
0005401484.tif 000009
【図９】
0005401484.tif 000010
【図１０】
0005401484.tif 000011